(57)【要約】【課題】  従来の問題点を解決することのできる電子機器ケースを提供すること。【解決手段】  ２つの取付部２ｃの高さは、上部当接部２ｄおよび下部当接部２ｅの高さとほぼ同じ高さとされ、取付部２ｃの背面側の面が角度θで傾斜している傾斜面２ｆとされている。傾斜面２ｆは、電子機器ケース１が平面状の取付面に取り付けられる際に、取付面に当接される面であり、当接した際に取付面に対する間隔が上から下に向かうにつれて狭くなる傾斜の傾斜面２ｆとされている。これにより、木板などの柔軟な材質の壁面に取り付けても、電子機器ケース１が傾むいて壁面から浮いてしまうことを防止することができるようになる。【選択図】  図３
2018063981.tif 000002
【特許請求の範囲】
【請求項１】
内部に収納空間を有する箱状の形状とされ、前記収納空間に少なくとも一つの電子ユニットが収容されて、平面状の取付面に取り付けられる電子機器ケースであって、
背面に、背面から突出して形成されている当接部と、
背面の下端部の両側に前記当接部の高さとほぼ同じ高さとなるようにそれぞれ形成され、前記取付面に当接する面が下に向かうにつれて前記取付面との間隔が狭くなるように傾斜している傾斜面とされた取付部とを備え、
取付時に、前記当接部および前記取付部の前記傾斜面を前記取付面に当接して、前記取付部に挿通したねじ手段を前記取付面にねじ込むことを特徴とする電子機器ケース。
【発明の詳細な説明】
【技術分野】
【０００１】
本発明は、壁部などの平面状の取付面に取り付けることのできる電子機器ケースに関する。
【背景技術】
【０００２】
テレビ受信用のアンテナで受信したテレビ信号やＣＡＴＶ信号は、一般に同軸ケーブルを介して屋内に導入されて、映像機器などに供給される。テレビジョンが複数台設けられている場合は、分配器を用いて信号を複数に分配して、分配信号がそれぞれテレビジョンに入力されるようになる。複数台のテレビジョンがある場合に、各テレビジョンに入力される受信信号は、同軸ケーブルの伝送損失や分配器の分配損失により信号レベルが低下するようになり、十分な信号レベルが得られない場合がある。このような場合に使用する電子機器は、内蔵されている増幅部により信号を増幅することで、同軸ケーブルの伝送損失や分配器の分配損失などの影響を改善することができる。
【０００３】
特許文献１に記載された従来の電子機器では、ケース本体部の背面板の外面には保持部が形成されており、下部から延伸するよう一対の取付部が形成されている。この保持部と一対の取付部とにより建物等の外壁に電子機器を取り付けることができるようにされている。このように、壁面に従来の電子機器を取り付ける取付工程の一例を図１０ないし図１８に示す。図１０は従来の電子機器を壁面に取り付ける第１のステップを示す正面側の斜視図、図１１は従来の電子機器を壁面に取り付ける第１のステップを示す側面図、図１２は従来の電子機器を壁面に取り付ける第１のステップを示す背面側の斜視図、図１３は従来の電子機器を壁面に取り付ける第２のステップを示す正面側の斜視図、図１４は従来の電子機器を壁面に取り付ける第２のステップを示す背面側の斜視図、図１５は従来の電子機器を壁面に取り付ける第３のステップを示す正面側の斜視図、図１６は従来の電子機器を壁面に取り付ける第３のステップを示す側面図、図１７は従来の電子機器を壁面に取り付ける第３のステップを示す背面側の斜視図、図１８は従来の電子機器を壁面に取り付ける第４のステップを示す正面側の斜視図である。
【０００４】
これらの図に示すように、平面状の壁面１２０に従来の電子機器が収納されている電子機器ケース１０１を取り付けるには、まず第１のステップで、図１０ないし図１２に示すように、従来の電子機器ケース１０１を取り付ける壁面１２０の位置に木ねじ１２１を中途までねじ込み、木ねじ１２１の頭部から１／２ないし１／３の長さまでが壁面１２０上に出ているようにする。次いで、電子機器ケース１０１の背面部１０２ｂに形成されている上部当接部１０２ｄと木ねじ１２１とを対応させるように電子機器ケース１０１を配置する。この場合、電子機器ケース１０１の背面部１０２ｂには背面から突出するよう上部当接部１０２ｄが上部から中央部に渡り形成され、下部当接部１０２ｅが中央部から下部に渡り形成されている。上部当接部１０２ｄの下部はテーパ状に切り欠かれており、その頂部に先端部が半円状とされた溝からなるネジ装着部１２２が形成されている。また、電子機器ケース１０１の背面の下端の両側にはＬ字状の取付部１０２ｃがそれぞれ形成されており、先端部に形成された挿通孔に木ねじ１１２がそれぞれ仮止めされている。
【０００５】
次に、第２ステップで、電子機器ケース１０１の上部当接部１０２ｄ、下部当接部１０２ｅ、２つの取付部１０２ｃを壁面１２０に当接させる。これにより、図１３および図１４に示すように、木ねじ１２１の壁面１２０から出ている部分がネジ装着部１２２に対面するようになる。次いで、第３ステップで、電子機器ケース１０１を下方へ若干移動させて、図１５ないし図１７に示すように木ねじ１２１の壁面１２０から出ている部分がネジ装着部１２２に挿入されるようにする。これにより、電子機器ケース１０１が木ねじ１２１により支持される。次いで、第４ステップで、壁面１２０に仮止めされた電子機器ケース１０１が水平・垂直方向に斜めにならないように位置決めして、図１８に示すように２つの取付部１０２ｃに仮止めされている木ねじ１１２を壁面１２０にそれぞれねじ込んでいく。これにより、壁面１２０に電子機器ケース１０１を取り付けることができる。
【先行技術文献】
【特許文献】
【０００６】
【特許文献１】特開２０１４−２２９９６４号公報
【発明の概要】
【発明が解決しようとする課題】
【０００７】
上記した電子機器ケース１０１の壁面１２０への取り付けでは、上部当接部１０２ｄの１ヶ所と、２つの取付部１０２ｃの２ヶ所の合計３ヶ所で固定する構造とされていることから、取り付ける際の作業性が煩雑になるという問題点があった。また、上部当接部１０２ｄを固定する木ねじ１２１は中途までしかねじ込まれておらず、上部当接部１０２ｄはネジ装着部１２２に引っかかっているだけで、上部当接部１０２ｄを壁面１２０に確実に密着させることができないという問題点があった。そして、電子機器ケース１０１には、この木ねじ１２１を同梱させなければならないという問題点もあった。さらに、壁面１２０が木板などの柔軟な材質の場合に、電子機器ケース１０１を壁面１２０に取り付けた状態を図１９に示す。この場合、２つの取付部１０２ｃに仮止めされている木ねじ１１２を壁面１２０にそれぞれねじ込んでいくと、柔軟な壁面１２０内に取付部１０２ｃが沈んでしまい、その結果、図１９に示すように電子機器ケース１０１の上部が手前に傾いてしまうという問題点があった。
【０００８】
そこで、本発明は、壁部などの平面状の取付面に取り付けることができ、上記した問題点を解決することのできる電子機器ケースを提供することを目的としている。
【課題を解決するための手段】
【０００９】
本発明の電子機器ケースは、内部に収納空間を有する箱状の形状とされ、前記収納空間に少なくとも一つの電子ユニットが収容されて、平面状の取付面に取り付けられる電子機器ケースであって、背面に、背面から突出して形成されている当接部と、背面の下端部の両側に前記当接部の高さとほぼ同じ高さとなるようにそれぞれ形成され、前記取付面に当接する面が下に向かうにつれて前記取付面との間隔が狭くなるように傾斜している傾斜面とされた取付部とを備え、取付時に、前記当接部および前記取付部の前記傾斜面を前記取付面に当接して、前記取付部に挿通したねじ手段を前記取付面にねじ込むことを最も主要な特徴としている。
【発明の効果】
【００１０】
本発明の電子機器は、背面の下端部の両側に、取付面に当接する面が下に向かうにつれて取付面との間隔が狭くなるように傾斜している傾斜面とされた取付部を備えている。これにより、取付時に、当接部および取付部の傾斜面を取付面に当接させて、取付部に挿通したねじ手段を取付面にねじ込んだ際に、取付面が柔軟であっても、電子機器ケースの上部が手前に傾いてしまうことを防止することができる。また、取付部の２ヶ所で固定する構造とされていることから、取り付ける際の作業性を向上することができ、同梱するネジ手段の数も低減することができる。
【図面の簡単な説明】
【００１１】
【図１】本発明の実施例の電子機器ケースの構成を示す正面側の斜視図である。
【図２】本発明の実施例の電子機器ケースの構成を示す背面側の斜視図である。
【図３】本発明の実施例の電子機器ケースの構成を示す側面図である。
【図４】本発明にかかる電子機器ケースを壁面に取り付ける第１のステップを示す正面側の斜視図である。
【図５】本発明にかかる電子機器ケースを壁面に取り付ける第１のステップを示す側面図である。
【図６】本発明にかかる電子機器ケースを壁面に取り付ける第２のステップを示す正面側の斜視図である。
【図７】本発明にかかる電子機器ケースを壁面に取り付ける第２のステップを示す側面図である。
【図８】本発明にかかる電子機器ケースを壁面に取り付ける第３のステップを示す正面側の斜視図である。
【図９】本発明にかかる電子機器ケースを壁面に取り付ける第３のステップを示す側面図である。
【図１０】従来の電子機器ケースを壁面に取り付ける第１のステップを示す正面側の斜視図である。
【図１１】従来の電子機器ケースを壁面に取り付ける第１のステップを示す側面図である。
【図１２】従来の電子機器ケースを壁面に取り付ける第１のステップを示す背面側の斜視図である。
【図１３】従来の電子機器ケースを壁面に取り付ける第２のステップを示す正面側の斜視図である。
【図１４】従来の電子機器ケースを壁面に取り付ける第２のステップを示す背面側の斜視図である。
【図１５】従来の電子機器ケースを壁面に取り付ける第３のステップを示す正面側の斜視図である。
【図１６】従来の電子機器ケースを壁面に取り付ける第３のステップを示す側面図である。
【図１７】従来の電子機器ケースを壁面に取り付ける第３のステップを示す背面側の斜視図である。
【図１８】従来の電子機器ケースを壁面に取り付ける第４のステップを示す正面側の斜視図である。
【図１９】従来の電子機器ケースを壁面に取り付けた状態を示す側面図である。
【発明を実施するための形態】
【００１２】
本発明の実施例の電子機器ケース１の構成を示す正面側の斜視図を図１に示し、本発明にかかる電子機器ケース１の構成を示す背面側の斜視図を図２に示す。
電子機器ケース１は、テレビ信号やＣＡＴＶ信号等の入力された信号を増幅する電子ユニットやその電源などを収納する電子機器ケースとされ、これらの図に示すように、内部に収納空間を有する所定の高さとされた箱状のケース本体部２と、ケース本体部２に被せられる箱状の形状の蓋部３とを備えている。蓋部３は、ケース本体部２に両側面の後面側の下部が、回転支持部４により回転可能に支持されており、ケース本体部２に閉じるように蓋部３を回転させると、ケース本体部２の前面を閉塞するよう被嵌することができる。蓋部３とケース本体部２とは合成樹脂製とされている。
【００１３】
ケース本体部２の底面部２ａには、入力端子、出力端子、モニタ端子等とされる複数の同軸端子１０が設けられていると共に、内部に収納された電源から引き出された電源ケーブル１１が導出されている。ケース本体部２の背面部２ｂには、背面部２ｂから突出するよう幅が広い上部当接部２ｄが上部から中央部に渡り形成されると共に、幅が広い下部当接部２ｅが中央部から下部に渡り形成されている。上部当接部２ｄと下部当接部２ｅの高さは同じ所定の高さとされ、被取付面に当接する上部当接部２ｄと下部当接部２ｅの当接面は背面部２ｂとほぼ平行に形成され、同じ面に位置している。また、ケース本体部２の背面部２ｂの下端から前側に延伸して下方へ折曲されたＬ字状の取付部２ｃが両側にそれぞれ形成されている。２つの取付部２ｃには、先端部に挿通孔が形成されておりこの挿通孔に木ねじ１２がそれぞれ仮止めされている。木ねじ１２は、建物等の壁部に電子機器ケース１を取り付ける際に使用される。本発明にかかる電子機器ケース１において特徴的な構成は、２つの取付部２ｃの高さは、上部当接部２ｄおよび下部当接部２ｅの高さとほぼ同じ高さとされ、取付部２ｃの背面側の面が角度θで傾斜している傾斜面２ｆとされている構成である。傾斜面２ｆは、電子機器ケース１が平面状の取付面に取り付けられる際に、取付面に当接される面であり、当接した際に取付面に対する間隔が上から下に向かうにつれて狭くなる傾斜の傾斜面２ｆとされている。なお、角度θは約２°とされるが、この角度に限定されるものではない。
【００１４】
蓋部３の前面部３ａは平面状とされ、その下端から下方へ延伸して両側が斜辺とされた張り出し片３ｂが形成されている。この張り出し片３ｂの下面から一対の矩形状の係止片が下方へ向けて立設されている。この一対の係止片は、蓋部３をケース本体部２に被嵌した際に、ケース本体部２の底面部２ａに形成されている係合部に着脱自在に係合する。係止片の先端部には先端に向かって尖ったくさび状の係合片が形成されており、この係止片の先端部が係合部の前縁に係合するようになる。そして、張り出し片３ｂに指をかけて上側に力を加えることにより、係止片が係合部から外れて蓋部３をケース本体部２から開けることができる。蓋部３をケース本体部２に被嵌した際には防滴ケースが構成される。
なお、蓋部３の側面部３ｃの上部の背面側に回転支持部４の一方を構成する孔部が、この孔部に対応するケース本体部２の側面部には孔部に係合する回転支持部４の他方を構成する突起が形成されている。この突起と孔部からなる回転支持部４を回転軸として、蓋部３は、ケース本体部２に回転可能に支持されている。
【００１５】
本発明にかかる電子機器ケース１は、内部に増幅部や電源部などが収納され、建物などの壁面などの平面状の取付面に取り付けて使用されることが多くされる。ここで、建物等の外壁とされる平面状の取付面である壁面２０に本発明にかかる電子機器ケース１を取り付ける取付工程を図４ないし図９に示す。図４は本発明にかかる電子機器ケース１を壁面２０に取り付ける第１のステップを示す正面側の斜視図、図５は本発明にかかる電子機器ケース１を壁面２０に取り付ける第１のステップを示す側面図、図６は本発明にかかる電子機器ケース１を壁面２０に取り付ける第２のステップを示す正面側の斜視図、図７は本発明にかかる電子機器ケース１を壁面２０に取り付ける第２のステップを示す側面図、図８は本発明にかかる電子機器ケース１を壁面２０に取り付ける第３のステップを示す正面側の斜視図、図９は本発明にかかる電子機器ケース１を壁面２０に取り付ける第３のステップを示す側面図である。
【００１６】
これらの図に示すように、平面状の壁面２０に電子機器が収納されている本発明にかかる電子機器ケース１を取り付ける第１のステップで、本発明にかかる電子機器ケース１を図４および図５に示すように取り付ける壁面２０の位置まで移動する。電子機器ケース１を位置決めしたら第２ステップで、図４および図５に矢印で示すように本発明にかかる電子機器ケース１を壁面２０に向かって移動させて、図６および図７に示すように電子機器ケース１の上部当接部２ｄおよび下部当接部２ｅと、２つの取付部２ｃを壁面２０の取付位置に当接させる。この場合、壁面２０に当接する上部当接部２ｄと下部当接部２ｅの当接面は、壁面２０に対してほぼ平行となるが、壁面２０に当接する取付部２ｃの傾斜面２ｆは、角度θだけ壁面２０に対して傾斜する。次いで、第３ステップで、水平・垂直方向に斜めにならないように電子機器ケース１を把持しながら、２つの取付部２ｃに仮止めされている木ねじ１２を壁面２０にそれぞれねじ込んでいく。これにより、図８および図９に示すように壁面２０に電子機器ケース１が取り付けられる。
【００１７】
図８および図９に示す取付状態において、壁面２０が木板などの柔軟な材質の場合は、２つの取付部２ｃに仮止めされている木ねじ１２を壁面２０にそれぞれねじ込んでいくと、柔軟な壁面２０内に取付部２ｃが沈んでしまう。しかしながら、本発明の電子機器ケース１における取付部２ｃにおいては、壁面２０に当接する面が傾斜面２ｆとされていることから、取付部２ｃの下端を支点として電子機器ケース１の上部が壁面２０側に押しつけられるようになる。この結果、壁面２０が木板などの柔軟な材質の場合であっても、本発明にかかる電子機器ケース１を取り付けた際に、傾むいて壁面２０から浮いてしまうことを防止することができるようになる。
【産業上の利用可能性】
【００１８】
上記の説明では、本発明の電子機器ケースの内部に増幅器および電源を収納するとブースターを構成することができる。また、本発明の電子機器ケースはブースターに限らず、電源部や増幅部、減衰器、分配器、分岐器、フィルターなどの回路ユニットが収納されて、同軸ケーブルなどを接続する電子機器のケースの全般に適用することができる。この場合、回路ユニットは取り外し可能にケース内に収納されるようにしてもよい。
以上説明した本発明の電子機器ケースにおいては、上部当接部が幅の太い概略Ｕ字状に、下部当接部が幅の太い概略Ｔ字状に形成されているが、これに限ることはなく、電子機器ケースを安定して支持できる幅を有していればどのような形状とされていてもよく、また、上部当接部と下部当接部とに分割する必要もない。また、本発明にかかる電子機器ケースは、従来の電子機器ケースの上部当接部のように、上部当接部にねじ装着部を設けるようにしてもよい。また、本発明にかかる電子機器ケースの取付部における傾斜面の角度θは、約１°〜約５°程度とすることができる。
【符号の説明】
【００１９】
１  電子機器ケース、２  ケース本体部、２ａ  底面部、２ｂ  背面部、２ｃ  取付部、２ｄ  上部当接部、２ｅ  下部当接部、２ｆ  傾斜面、３  蓋部、３ａ  前面部、３ｂ  張り出し片、３ｃ  側面部、４  回転支持部、１０  同軸端子、１１  電源ケーブル、１２  木ねじ、２０  壁面、１０１  電子機器ケース、１０２ｂ  背面部、１０２ｃ  取付部、１０２ｄ  上部当接部、１０２ｅ  下部当接部、１１２  木ねじ、１２０  壁面、１２１  木ねじ、１２２  ネジ装着部
【図１】
2018063981.tif 000003
【図２】
2018063981.tif 000004
【図３】
2018063981.tif 000005
【図４】
2018063981.tif 000006
【図５】
2018063981.tif 000007
【図６】
2018063981.tif 000008
【図７】
2018063981.tif 000009
【図８】
2018063981.tif 000010
【図９】
2018063981.tif 000011
【図１０】
2018063981.tif 000012
【図１１】
2018063981.tif 000013
【図１２】
2018063981.tif 000014
【図１３】
2018063981.tif 000015
【図１４】
2018063981.tif 000016
【図１５】
2018063981.tif 000017
【図１６】
2018063981.tif 000018
【図１７】
2018063981.tif 000019
【図１８】
2018063981.tif 000020
【図１９】
2018063981.tif 000021